(57)【要約】      （修正有）【課題】ネットの開閉が簡単にできるとともに、布団や毛布を干す際に邪魔にならない構造が簡単な防鳥ネットを提供する。【解決手段】ネット１が連結されたロール２が支持されるとともにベランダの天井に固定されるロール支持フレーム３からなる防鳥ネットにおいて、ネット１は、ロール２の回転により巻き取りあるいは引き出し可能にロール２に連結され、ロール２は、ネット１を任意の長さまで引き出した状態でストッパにより停止させることができるとともに、停止させたネット１をわずか引き出すことによってストッパが解除されてネット１がスプリングの付勢力によりロール２に巻き取られるようにロール支持フレーム３に支持され、ネット１の下端は錘となるウエイトバー４に連結され、ウエイトバー４にネット１を引く引き紐５が取り付けられている。【選択図】図１
0003177405.tif 000002
【実用新案登録請求の範囲】
【請求項１】
ネットと、このネットが連結されたロールと、このロールが支持されるとともにベランダの天井に固定されるロール支持フレームからなる防鳥ネットにおいて、
前記ネットは、前記ロールの回転により巻き取りあるいは引き出し可能にロールに連結され、
前記ロールは、前記ネットを任意の長さまで引き出した状態でストッパにより停止させることができるとともに、停止させた前記ネットをわずか引き出すことによって前記ストッパが解除されて前記ネットがスプリングの付勢力により前記ロールに巻き取られるように前記ロール支持フレームに支持され、
前記ネットの下端は錘となるウエイトバーに連結され、前記ウエイトバーに前記ネットを引く引き紐が取り付けられていることを特徴とする防鳥ネット。
【請求項２】
前記ウエイトバーに、ベランダの柵に掛けるフックあるいは、柵に取り付けたフックに掛けるリングが設けられていることを特徴とする請求項1記載の防鳥ネット。
【考案の詳細な説明】
【技術分野】
【０００１】
本考案は、ベランダに鳩等の鳥が侵入をするのを防いで、鳥の鳴き声による騒音被害や排泄による糞被害を防止するとともに、布団や毛布を干す際に邪魔にならない防鳥ネットに関する。
【背景技術】
【０００２】
鳩がベランダに飛来すると、騒音被害や糞被害が発生するので、鳩の侵入を防ぐためにベランダ全体に防鳥ネットを張り巡らせる方式が知られている。
【０００３】
例えば、特許文献１（特開２００１−５７８３９号公報）には、図４に示すように、径の大きいポール部材に径の小さいポール部材を摺動自在に嵌め込んで支柱１１を形成し、この支柱１１をベランダの周囲に間隔をおいて天井１２と床１３の間に高さを調節して固定し、支柱１１に設けられた固定フックにネット１４を張設する防鳥ネットが記載されている。
【０００４】
また、特許文献２（特開２００２−１８６４０４号公報）には、図５に示すように、ベランダの上段に長さ調節可能な支柱２１でパイプ２２を支持して架設するとともに、下段にワイヤ２３を架設し、パイプ２２を摺動可能な複数の吊下具２４とワイヤ２３を摺動可能な複数の係止具２５との間にネット(図示せず)を張設して左右方向に開閉自在とした防鳥ネットが記載されている。
【先行技術文献】
【特許文献】
【０００５】
【特許文献１】特開２００１−５７８３９号公報
【特許文献２】特開２００２−１８６４０４号公報
【考案の概要】
【考案が解決しようとする課題】
【０００６】
前記特許文献１に記載された防鳥ネットは、ネットを係止するために複数の支柱を必要とするだけでなく、支柱自体も伸縮自在で且つネットを係止するための複数の固定フックを有するので構造が複雑となり、コスト高となる問題がある。
【０００７】
さらに、ネットは着脱自在であるが、布団や毛布を干す際には、ネットを複数の固定フックから外す必要があり、その後、ネットを複数の固定フックに係止する必要があるためにネットの着脱に手間がかかるという欠点がある。
【０００８】
前記特許文献２に記載された防鳥ネットは、パイプを支持する伸縮自在の支柱が必要であるため、前記特許文献１の支柱と同様に、コスト高となる問題がある。
また、上部にパイプ支柱で支持し、下部にワイヤを架設してその間にネットをリングとフックにより張設するので、構造が複雑になるという問題がある。さらに、布団や毛布を干す際に、両側に開けたネットが邪魔になるという欠点がある。
【０００９】
そこで、本考案は、ネットの開閉が簡単にできるとともに、布団や毛布を干す際に邪魔にならない構造が簡単な防鳥ネットを提供するものである。
【課題を解決するための手段】
【００１０】
本願請求項１の考案は、ネットと、このネットが連結されたロールと、このロールが支持されるとともにベランダの天井に固定されるロール支持フレームからなる防鳥ネットにおいて、前記ネットは、前記ロールの回転により巻き取りあるいは引き出し可能にロールに連結され、前記ロールは、前記ネットを任意の長さまで引き出した状態でストッパにより停止させることができるとともに、停止させた前記ネットをわずか引き出すことによって前記ストッパが解除されて前記ネットが前記ロールにスプリングの付勢力により巻き取られるように前記ロール支持フレームに支持され、前記ネットの下端は錘となるウエイトバーに連結され、前記ウエイトバーに前記ネットを引く引き紐が取り付けられていることを特徴とする防鳥ネットである。
【００１１】
本願請求項２の考案は、前記ウエイトバーに、ベランダの柵に掛けるフックあるいは、柵に取り付けたフックに掛けるリングが設けられていることを特徴とする請求項1記載の防鳥ネットである。
【考案の効果】
【００１２】
本考案は、ロール支持フレームを天井に固定するだけで、ネットが引き出し、巻き取り可能なので、従来の複数の支柱を立ててネットをフックに着脱する防鳥ネットに比べて構造が簡単である。
【００１３】
また、本考案は、ネットを少し下方に引けば、ネットがスプリングの力により自動的にローラに巻かれるので、布団や毛布を干す際に邪魔にならない。
【図面の簡単な説明】
【００１４】
【図１】本考案による防鳥ネットを示す図である。
【図２】本考案による防鳥ネットを取り付けた状態をベランダ側から見た図である。
【図３】本考案による防鳥ネットを取り付けた状態を側面から見た図である。
【図４】従来の防鳥ネットの一例を示す図である。
【図５】従来の防鳥ネットの一例を示す図である
【考案を実施するための形態】
【００１５】
本考案を、図面を参照しながら説明する。
【実施例１】
【００１６】
図１〜３に示すように、本考案の防鳥ネットは、ネット１、このネット１が連結され、ネット１を巻き取りあるいは引き出し可能なロール２、ロール２を回転可能に支持するロール支持フレーム３で構成される。
【００１７】
ネット１は、従来の防鳥ネットと同様に、合成樹脂製のネット、例えばナイロンネットを使用することができる。ネットの網目の寸法は、鳩が通過せず且つ風が通り抜けて風圧の影響を受けない大きさにする。
【００１８】
ネット１の上端はロール２に連結され、ネット１の下端は錘の役割をするウエイトバー４に連結されている。ウエイトバー４が錘となって、ネット１をたるませることなく張って、はためかないようにすることができる。
【００１９】
ウエイトバー４には引き紐５が取り付けられており、引き紐５を引くことにより、ネット１をロール２から引き出したりあるいは巻き取ったりすることができる。
【００２０】
また、ウエイトバー４には、柵６に掛けるフック７、あるいは逆に柵に取り付けたフックに掛けるリングを設けてもよい。
ネット１が連結され、ネット１を巻き取ったりあるいは引き出したりするロール２は、その両端のロール軸がロール支持フレーム３に回転自在に支持されている。
【００２１】
ロール支持フレーム３に回転自在に支持されているロール２は、例えば、公知のロールカーテンのロールと同じく、ネット１は、ロール支持フレーム３とロール2との間に付設されたスプリングおよびストッパの機能によって、ネットを任意の長さまで引き出した状態でストッパにより停止させることができる。また、停止させたネット１をわずかに下方へ引き出すことによって、ストッパが解除されてスプリングの付勢力によりネット１がロールの周りに巻き取ることができるようになっている。
【００２２】
次に、本考案の防鳥ネットの使用方法について説明する。
【００２３】
ロール支持フレーム３をベランダの天井８にビスや接着剤あるいは公知の固定具により固定する。なお、防鳥ネットの幅は、ベランダの大きさに合わせて、ひとつの防鳥ネットを取り付けてもよく、あるいは、図２に示すように、複数の防鳥ネットを並べて取り付けてもよい。
【００２４】
鳩が飛来する時間には、天井８に固定されている防鳥ネットの引き紐５を引いてネット１を引き出し、適当な位置で停止させると、ネット１はウエイトバー４の錘の作用によりたるむことなく張ることができる。風がない時にはこのままの状態でもよい。ネット１が風により揺れるのを防ぐ場合には、ウエイトバー４に設けられているフック７、あるいはリングを利用して柵６に固定することができる。
【００２５】
布団や毛布を干す場合には、停止しているネット１を、引き紐５を引くことによりわずかに引き出すことによってロール２の周りに巻き取ることができるので、ネットに邪魔されることなく布団や毛布を干すことができる。
【符号の説明】
【００２６】
１：ネット
２：ロール
３：ロール支持フレーム
４：ウエイトバー
５：引き紐
６：柵
７：フック
１１：支柱
１２：天井
１３：床
１４：ネット
２１：支柱
２２：パイプ
２３：ワイヤ
２４：吊下具
２５：係止具
【図１】
0003177405.tif 000003
【図２】
0003177405.tif 000004
【図３】
0003177405.tif 000005
【図４】
0003177405.tif 000006
【図５】
0003177405.tif 000007